(57)【要約】【課題】本発明では、経験の有無に係わらず全ての観察者が異物付着位置特定および異物除去が行えるようにすることを目的とする。【解決手段】顕微鏡を構成する光学ユニット毎に、顕微鏡または撮像装置の光路上にある光学ユニットに異物が付着しているか否かをユーザに確認させる異物確認情報と、異物を取り除く異物除去情報が格納されている格納手段と、操作対象の顕微鏡を構成する光学ユニットに関する情報を取得する対象ユニット情報取得手段と、格納手段から取得した光学ユニットに対応する異物確認情報及び異物除去情報を抽出し、抽出した異物確認情報または異物除去情報に対して、対話形式でユーザが質問に答えていくことによって、次の画面に順次移行するウィザード画面を生成するウィザード画面生成手段と、そのウィザード画面を表示させる表示制御手段と、を備える異物確認除去誘導システムにより、上記課題の解決を図る。【選択図】      図１
2010019885.tif 000002
【特許請求の範囲】
【請求項１】
顕微鏡を構成する光学ユニットごとに、該顕微鏡または該顕微鏡で観察された観察標本を撮像する撮像装置の光路上にある光学ユニットに異物が付着しているか否かをユーザに確認させる異物確認情報と、該異物を取り除く異物除去情報が格納されている格納手段と、
操作対象の顕微鏡を構成する光学ユニットに関する情報を取得する対象ユニット情報取得手段と、
前記格納手段から前記取得した光学ユニットに対応する前記異物確認情報及び前記異物除去情報を抽出し、該抽出した前記異物確認情報または前記異物除去情報に対して、対話形式でユーザが質問に答えていくことによって、次の画面に順次移行するウィザード画面を生成するウィザード画面生成手段と、
前記生成したウィザード画面を表示させる表示制御手段と、
を備えることを特徴とする異物確認除去誘導システム。
【請求項２】
前記異物確認除去誘導システムは、さらに、
前記撮像装置により撮像された観察画像データを取得する観察画像取得手段と、
前記観察画像データに対して所定の画像処理を施して、観察画像に撮像されている異物の画像領域を強調させる異物強調処理手段と、
を備え、
前記表示制御手段は、前記画像処理後の観察画像を表示させる
ことを特徴とする請求項１に記載の異物確認除去誘導システム。
【請求項３】
前記表示制御手段は、ウィザード画面内に前記画像処理後の観察画像を表示させる
ことを特徴とする請求項２に記載の異物確認除去誘導システム。
【請求項４】
観察標本の観察を行う顕微鏡と、
前記顕微鏡で観察された観察標本を撮像する撮像装置と、
前記顕微鏡を構成する光学ユニットごとに、前記顕微鏡または前記撮像装置の光路上にある光学ユニットに異物が付着しているか否かをユーザに確認させる異物確認情報と、該異物を取り除く異物除去情報が格納されている格納手段と、
操作対象の顕微鏡を構成する光学ユニットに関する情報を取得する光学ユニット情報取得手段と、
前記格納手段から前記取得した光学ユニットに対応する前記異物確認情報及び前記異物除去情報を抽出し、該抽出した前記異物確認情報または前記異物除去情報に対して、対話形式でユーザが質問に答えていくことによって次の画面に順次移行するウィザード画面を生成するウィザード画面生成手段と、
前記生成したウィザード画面を表示させる表示制御手段と、
を備えることを特徴とする顕微鏡撮影システム。
【請求項５】
前記顕微鏡撮影システムは、さらに、
前記撮像装置により撮像された観察画像データを取得する観察画像取得手段と、
前記観察画像データに対して所定の画像処理を施して、観察画像に撮像されている異物の画像領域を強調させる異物強調処理手段と、
を備え、
前記表示制御手段は、前記画像処理後の観察画像を表示させる
ことを特徴とする請求項４に記載の顕微鏡撮影システム。
【請求項６】
前記表示制御手段は、ウィザード画面内に前記画像処理後の観察画像を表示させる
ことを特徴とする請求項５に記載の顕微鏡撮影システム。
【請求項７】
顕微鏡または該顕微鏡で観察された観察標本を撮像する撮像装置の光路上にある光学ユニットへの異物の付着の確認及び該異物除去を支援する処理をコンピュータに実行させる異物確認除去支援プログラムであって、
前記顕微鏡を構成する光学ユニットごとに、前記顕微鏡または前記撮像装置の光路上にある光学ユニットに異物が付着しているか否かをユーザに確認させる異物確認情報と、該異物を取り除く異物除去情報を登録する登録処理と、
操作対象の顕微鏡を構成する光学ユニットに関する情報を取得する光学ユニット情報取得処理と、
前記登録された異物確認情報及び異物除去情報から、前記取得した光学ユニットに対応する前記異物確認情報及び前記異物除去情報を抽出し、該抽出した前記異物確認情報または前記異物除去情報に対して、対話形式でユーザが質問に答えていくことによって、次の画面に順次移行するウィザード画面を生成するウィザード画面生成処理と、
前記生成したウィザード画面を表示させる表示制御処理と、
をコンピュータに実行させる異物確認除去支援プログラム。
【発明の詳細な説明】
【技術分野】
【０００１】
本発明は、顕微鏡、撮像装置および画像表示装置を備えた顕微鏡撮影システムに関する。
【背景技術】
【０００２】
顕微鏡撮影システムにおいて、光学ユニットおよび撮像装置の光路上に異物が付着した場合、観察および撮影の妨げになる。適切な観察環境および撮影環境を実現するためには、観察者が異物付着位置の特定および異物の除去を行う必要がある。
【０００３】
しかし、異物付着位置特定および異物除去の方法は、観察者の経験に依存するため、経験者が行う場合が多い。したがって、経験の少ない観察者が異物付着位置の特定および異物除去を行って、顕微鏡を常に適切な観察および撮影環境に保つのは難しい。
【０００４】
従来、顕微鏡のセッティングに係わる調整方法の一例として、特許文献１がある。特許文献１では、顕微鏡光学系の倍率および各種検鏡法に基いて手動で選択または調整を必要とする顕微鏡システムにおいて、常に適切な観察および撮影状態にセッティングするため、操作ガイドデータを表示させる装置が提案されている。
【特許文献１】特許第３４９７２２９号
【発明の開示】
【発明が解決しようとする課題】
【０００５】
しかしながら、特許文献１では異物付着位置特定および異物除去を対象としていない。また、必ずしも異物付着位置特定および異物除去の経験がある観察者が顕微鏡撮影システムを使用する現場にいるとは限らない。
【０００６】
顕微鏡撮影システムの光学ユニットおよび撮像装置の光路上に存在する異物を除去し、常に最適な環境で観察を行うためには、全ての観察者が正確に異物付着位置の特定を行い、各光学ユニットおよび撮像装置に合わせた異物除去のための方法を実施しならなければならない。そのためには、経験の少ない観察者でも異物付着位置の特定および異物除去を行うことができるようにする必要がある。
【０００７】
上記課題に鑑み、本発明では、経験の有無に係わらず全ての観察者が容易に異物付着位置特定および異物除去を行えるようにすることを目的とする。
【課題を解決するための手段】
【０００８】
本発明にかかる異物確認除去誘導システムは、顕微鏡を構成する光学ユニットごとに、該顕微鏡または該顕微鏡で観察された観察標本を撮像する撮像装置の光路上にある光学ユニットに異物が付着しているか否かをユーザに確認させる異物確認情報と、該異物を取り除く異物除去情報が格納されている格納手段と、操作対象の顕微鏡を構成する光学ユニットに関する情報を取得する対象ユニット情報取得手段と、前記格納手段から前記取得した光学ユニットに対応する前記異物確認情報及び前記異物除去情報を抽出し、該抽出した前記異物確認情報または前記異物除去情報に対して、対話形式でユーザが質問に答えていくことによって、次の画面に順次移行するウィザード画面を生成するウィザード画面生成手段と、前記生成したウィザード画面を表示させる表示制御手段と、を備えることを特徴とする。
【０００９】
前記異物確認除去誘導システムは、さらに、前記撮像装置により撮像された観察画像データを取得する観察画像取得手段と、前記観察画像データに対して所定の画像処理を施して、観察画像に撮像されている異物の画像領域を強調させる異物強調処理手段と、を備え、前記表示制御手段は、前記画像処理後の観察画像を表示させることを特徴とする。
【００１０】
前記異物確認除去誘導システムにおいて、前記表示制御手段は、ウィザード画面内に前記画像処理後の観察画像を表示させることを特徴とする。
本発明にかかる顕微鏡撮影システムは、観察標本の観察を行う顕微鏡と、前記顕微鏡で観察された観察標本を撮像する撮像装置と、前記顕微鏡を構成する光学ユニットごとに、前記顕微鏡または前記撮像装置の光路上にある光学ユニットに異物が付着しているか否かをユーザに確認させる異物確認情報と、該異物を取り除く異物除去情報が格納されている格納手段と、操作対象の顕微鏡を構成する光学ユニットに関する情報を取得する光学ユニット情報取得手段と、前記格納手段から前記取得した光学ユニットに対応する前記異物確認情報及び前記異物除去情報を抽出し、該抽出した前記異物確認情報または前記異物除去情報に対して、対話形式でユーザが質問に答えていくことによって次の画面に順次移行するウィザード画面を生成するウィザード画面生成手段と、前記生成したウィザード画面を表示させる表示制御手段と、を備えることを特徴とする。
【００１１】
前記顕微鏡撮影システムは、さらに、前記撮像装置により撮像された観察画像データを取得する観察画像取得手段と、前記観察画像データに対して所定の画像処理を施して、観察画像に撮像されている異物の画像領域を強調させる異物強調処理手段と、を備え、前記表示制御手段は、前記画像処理後の観察画像を表示させることを特徴とする。
【００１２】
前記顕微鏡撮影システムにおいて、前記表示制御手段は、ウィザード画面内に前記画像処理後の観察画像を表示させることを特徴とする。
本発明にかかる、顕微鏡または該顕微鏡で観察された観察標本を撮像する撮像装置の光路上にある光学ユニットへの異物の付着の確認及び該異物除去を支援する処理をコンピュータに実行させる異物確認除去支援プログラムは、前記顕微鏡を構成する光学ユニットごとに、前記顕微鏡または前記撮像装置の光路上にある光学ユニットに異物が付着しているか否かをユーザに確認させる異物確認情報と、該異物を取り除く異物除去情報を登録する登録処理と、操作対象の顕微鏡を構成する光学ユニットに関する情報を取得する光学ユニット情報取得処理と、前記登録された異物確認情報及び異物除去情報から、前記取得した光学ユニットに対応する前記異物確認情報及び前記異物除去情報を抽出し、該抽出した前記異物確認情報または前記異物除去情報に対して、対話形式でユーザが質問に答えていくことによって、次の画面に順次移行するウィザード画面を生成するウィザード画面生成処理と、前記生成したウィザード画面を表示させる表示制御処理と、をコンピュータに実行させる。
【発明の効果】
【００１３】
本発明によれば、異物付着位置特定および異物除去の経験の少ない観察者であっても、ウィザード画面の誘導に基づいて、顕微鏡または撮像装置の異物付着位置特定および異物除去を容易に行うことができる。
【発明を実施するための最良の形態】
【００１４】
図１は、本発明の実施形態にかかる異物確認除去誘導システム１００を示す。異物確認除去誘導システム１００は、格納手段１０１、対象ユニット情報取得手段１０２、ウィザード画面生成手段１０３、表示制御手段１０４を有する。異物確認除去誘導システム１００は、本実施形態でいえば、コンピュータ２７と信号処理装置２６とからなる装置群に相当するがこれに限定されず、単体の装置であってもよい。
【００１５】
格納手段１０１は、顕微鏡を構成する光学ユニットごとに、該顕微鏡または該顕微鏡で観察された観察標本を撮像する撮像装置の光路上にある光学ユニットに異物が付着しているか否かをユーザに確認させる異物確認情報（各ユニットの異物付着位置特定方法のデータ）と、該異物を取り除く異物除去情報（各ユニットのクリーニング方法のデータ）が格納されている。格納手段１０１は、本実施形態でいえば、ＲＯＭ３７に相当するがこれに限定されない。例えば、異物確認除去誘導システム１００がコンピュータ２７単体で構成される場合、格納手段１０１は、信号処理回路２６のＲＯＭ３７から送信された各ユニットの異物付着位置特定方法のデータおよびクリーニング方法のデータをコンピュータ２７内で保持するための記憶装置であってもよい。
【００１６】
対象ユニット情報取得手段１０２は、操作対象の顕微鏡を構成する光学ユニットに関する情報を取得する。対象ユニット情報取得手段１０２は、本実施形態で言えば、顕微鏡撮影システム構成ユニット表４０に相当する。
【００１７】
ウィザード画面生成手段１０３は、前記格納手段から前記取得した光学ユニットに対応する前記異物確認情報及び前記異物除去情報を抽出し、該抽出した前記異物確認情報または前記異物除去情報に対して、対話形式でユーザが質問に答えていくことによって、次の画面に順次移行するウィザード画面を生成する。ウィザード画面生成手段１０３は、本実施形態でいえば、コンピュータ２７のＣＰＵにより実行される後述のフローチャートの処理に相当する。
【００１８】
表示制御手段１０４は、前記生成したウィザード画面を表示させる。表示制御手段１０４は、本実施形態でいえば、コンピュータ２７のＣＰＵまたは描画用処理装置により実行されるモニタへ出力するための表示形態の制御に相当する。
【００１９】
このように構成することにより、異物付着位置特定および異物除去の経験の少ない観察者であっても、ウィザード画面の誘導に基づいて、顕微鏡または撮像装置の異物付着位置特定および異物除去を容易に行うことができる。
【００２０】
前記異物確認除去誘導システム１００は、さらに、観察画像取得手段１０５、異物強調処理手段１０６をしてもよい。
観察画像取得手段１０５は、前記撮像装置により撮像された観察画像データを取得する。観察画像取得手段１０５は、本実施形態で言えば、Ｉ／Ｆ３２に相当する。
【００２１】
異物強調処理手段１０６は、前記観察画像データに対して所定の画像処理を施して、観察画像に撮像されている異物の画像領域を強調させる。異物強調処理手段１０６は、本実施形態で言えば、画像処理部３３に相当する。
【００２２】
この場合、前記表示制御手段１０４は、前記画像処理後の観察画像を表示させる。これにより、異物のみが強調された観察標本画像を表示させることができるので、異物の移動および異物の付着を確認しやすくなる。
【００２３】
さらに、前記表示制御手段１０４は、ウィザード画面内に前記画像処理後の観察画像を表示させることができる。これにより、観察者は画像表示画面とウィザード画面の両方を見る必要がなくなり、異物付着位置検出およびクリーニング作業の効率が上がるため観察者の負担が軽減される。
【００２４】
以下に、本発明の実施形態の詳細について説明する。
＜第１の実施形態＞
図２は、第１の実施形態における顕微鏡撮影システムの全体構成を示す。撮像装置２５は、顕微鏡装置１を用いて取得される観察標本１２の顕微鏡画像の撮影を行う。コンピュータ２７は、信号処理回路２６を介して撮像装置２５と接続されている。コンピュータ２７は、撮像装置２５の制御を行うことができる。コンピュータ２７に接続されたモニタ２８は、各種の画像を表示することができる。
【００２５】
図３は、本実施形態における顕微鏡１の光学系を示す。例えばハロゲンランプからなる透過照明用光源２からの光は、コレクタレンズ４により集光されて透過用フィルタユニット５へ入射する。
【００２６】
透過用フィルタユニット５は、複数枚のＮＤフィルタと、複数枚の補正フィルタとからなる。ＮＤフィルタは、透過照明用光源２の色温度を変えずに明るさの調光を行うものである。補正フィルタは、色補正を行うものである。透過用フィルタユニット５は、任意のフィルタを照明光学系の光路中に選択的に挿脱できる。
【００２７】
透過用フィルタユニット５を透過した照明光は、透過視野絞り６、窓レンズ７、透過開口絞り８、コンデンサ光学素子ユニット９、及びコンデンサトップレンズユニット１０を介して、ステージ１１の下方からステージ上の観察標本１２を照明する。
【００２８】
ステージ１１の上方には、複数のユニットからなる複数の対物レンズ１３ａ，１３ｂが、レボルバ１４に保持されている。レボルバ１４は、その回転により観察光路内の光軸上に挿入するべき対物レンズを交換可能なように構成されている。
【００２９】
レボルバ１４は、例えば顕微鏡のアーム先端部に回転自在に取り付けられている。対物レンズ１３ａ，１３ｂを透過した光は、ダイクロイックミラー１９を透過し、ビームスプリッタ２１を介して、観察用光路Ａを通り、接眼レンズ２２へ入射する。観察用光路Ａとは、ビームスプリッタ２１を介して接眼レンズへ向かう光路である。なお、ビームスプリッタ２１は挿脱可能になっている。
【００３０】
また、水銀ランプ等からなる落射照明用光源３からの光を、落射用フィルタユニット１６、落射視野絞り１７、落射開口絞り１８を介して、ダイクロイックミラー１９で観察標本１２側へ反射させて落射照明する。
【００３１】
なお、落射用フィルタユニット１６は、複数枚のＮＤフィルタと、複数枚の補正フィルタとから構成される。ＮＤフィルタは、落射照明用光源３の色温度を変えずに明るさの調光を行うものである。補正フィルタは、色補正を行うためのものである。
【００３２】
一方、ダイクロイックミラー１９を透過した光は、ビームスプリッタ２１を光路から脱した状態にすることで、撮影用光路Ｂに切替えることができる。撮影用光路Ｂとは、カメラアダプタ２３を介して撮像装置２５に入射する光路である。
【００３３】
次に、顕微鏡撮影システムの撮影システムの概略構成について説明する。撮像装置２５には、顕微鏡光学系で結像された観察標本像が入射する。入射した観察標本像は、撮像装置２５で光電変換されて画像データが生成される。その画像データは、アナログデータからデジタルデータへ変換される。
【００３４】
信号処理回路２６は、撮像装置２５およびコンピュータ２７と接続されている。撮像装置２５から出力された画像データは、信号処理回路２６で画像処理が施され、コンピュータ２７へ送られる。
【００３５】
コンピュータ２７は、モニタ２８および入力装置２９と接続されている。画像データはコンピュータ２７にて再びアナログデータへ変換され、モニタ２８に出力される。そうして、モニタ２８に観察画像が表示される。
【００３６】
図４は、本実施形態における信号処理回路２６の構成を示している。信号処理回路２６は、インターフェース（Ｉ／Ｆ）部３２，３５、画像処理部３３、コントローラ３４、中央処理装置（ＣＰＵ）３６、およびリードオンリーメモリ（ＲＯＭ）３７、及び制御バス３８を有している。
【００３７】
画像処理部３３は、画像データの画像処理を行う。ＲＯＭ３７は、書換え可能なフラッシュＲＯＭである。これらは、制御バス３８にそれぞれ接続されている。
画像処理部３３は、制御バス３８を介してＣＰＵ３６およびＩ／Ｆ部３２と接続している。画像処理部３３は、撮像装置２５からの画像データの画像処理を行う。撮像装置２５とＩ／Ｆ部３２は、例えば、Ｉ／Ｆケーブル３０によって接続されている。
【００３８】
ＲＯＭ３７は、制御バス３８を介してＣＰＵ３６およびコントローラ３４に接続されている。ＲＯＭ３７には、顕微鏡撮影システムを構成できる一般的な光学ユニット名称、それら各ユニットの異物付着位置特定方法のデータおよびクリーニング方法のデータ、観察者が登録した顕微鏡撮影システムのユニット構成が記憶されている。また、ＲＯＭ３７には、異物付着位置特定およびクリーニングのためのウィザードのプログラムが格納されている。
【００３９】
コントローラ３４は、Ｉ／Ｆ部３５を介してコンピュータ２７と接続している。また、コントローラ３４は、制御バス３８を介してＣＰＵ３６およびＲＯＭ３７と接続している。コントローラ３４は、コンピュータ２７とＣＰＵ３６間の撮像命令データおよびＲＯＭ３７に記憶されているデータ送受信のタイミング調整を行う。
【００４０】
コンピュータ２７には、図２において示したように、モニタ２８および入力装置２９が接続されている。コンピュータ２７は、ＣＰＵ、ランダムアクセスメモリ（ＲＡＭ）、ＲＯＭ、ハードディスクドライブ（ＨＤＤ）、描画用処理装置等を備える。ＣＰＵは、ＨＤＤにインストールされたプログラム及びコントローラ３４から取得した本実施形態にかかるプログラムを読み込んで、各プログラムを実行する。
【００４１】
モニタ２８は、コンピュータ２７とモニタケーブル３１によって接続されている。モニタ２８は、例えば、ＴＦＴ等の液晶モニタである。その表示画面には、コンピュータ２７からの入力信号に応じて、撮像画像や観察者が各種操作を実行するためのグラフィカルユーザインターフェース（ＧＵＩ）や文字等が表示される。
【００４２】
また、入力装置２９は、キーボードおよびマウス等の入力デバイスである。入力装置２９を用いて、観察者は、撮像条件や撮像開始および終了の指示を与えたり、顕微鏡撮影システムを構成するユニットの登録等を行うことができる。
【００４３】
図５は、本実施形態における観察標本画像表示画面４２を示す。観察標本画像表示画面４２のプログラムは、コンピュータ２７に予めインストールされている。そして、コンピュータ２７の電源投入後、観察者が入力装置２９を用いて、観察標本画像表示画面４２のプログラムを起動させる。
【００４４】
観察標本画像表示画面４２では、観察標本画像が表示される。観察標本画像表示画面４２内には、観察標本画像表示ボタン４３、撮影ボタン４４、異物付着位置特定およびクリーニングのためのウィザードのボタン５９が備えられている。
【００４５】
観察標本画像表示ボタン４３が押下されると、観察標本画像が表示される。撮影ボタン４４が押下されると、標本画像が撮影される。
入力装置２９のマウスを用いて、観察画像表示画面４２に表示されているボタン５９にポインタを合わせ、マウスをクリックすることで、ボタン５９を選択できる。ボタン５９が選択されると、異物付着位置特定およびクリーニングのためのウィザードが開始され、図６に従って、図７〜図２０の画面が表示される。
【００４６】
図６は、本実施形態におけるウィザード画面によるユニットの異物付着位置特定方法およびクリーニング方法のガイドフローを示す。図６は、顕微鏡撮影システムにおいて行われる、異物付着位置特定およびクリーニングのためのウィザードをフローチャートで示したものである。
【００４７】
最初に、コンピュータ２７は、電源投入時にＲＯＭ３７に格納されている異物付着位置特定およびクリーニングのためのウィザードのプログラムを、コントローラ３４およびＩ／Ｆ部３５を介して取得する。
【００４８】
図６において、まずＳ１では、観察者が入力装置２９を用いて、使用する顕微鏡撮影システムの構成について登録を行う。登録については、図７で後述する。その登録情報に基づいて、コンピュータ２７は、ＲＯＭ３７から観察者の顕微鏡撮影システムを構成するユニットの異物付着位置特定方法のデータおよびクリーニング方法のデータを取得する処理を行う。入力された顕微鏡装置構成ユニットのデータは、コンピュータ２７から、Ｉ／Ｆ部３５、コントローラ３４、及び制御バス３８を介してＲＯＭ３７に書き込まれる。また、ＲＯＭ３７に格納されたデータは、ＣＰＵ３５に制御される制御バス３８、コントローラ３４、及びＩ／Ｆ部３５を介して、コンピュータ２７に送られる。
【００４９】
図７は、モニタ２８に表示されたウィザード画面３９に表示する顕微鏡撮影システム構成ユニット表４０を示す。顕微鏡撮影システム構成ユニット表４０において、観察者の使用する顕微鏡撮影装置構成ユニットを、周知のプルダウンメニューから選択できる。顕微鏡撮影システム構成ユニット表４０では、例えば、顕微鏡の種類、照明系、鏡筒の種類、コンデンサの種類、対物レンズの種類、カメラアダプタの種類などの基本構成およびその他オプションユニットを登録できる。その他オプションユニットとは、例えば、ＡＦ装置など顕微鏡で使用される一般的な光学ユニットのことである。顕微鏡撮影装置構成ユニットを登録後、ボタン４１をクリックすることで、処理Ｓ２が開始される。
【００５０】
Ｓ２では、異物付着位置特定およびクリーニングのためのウィザードを開始する処理が始まる。ここでは、観察標本１２に異物が付着しているか否かの確認のため、観察者にステージ１１を移動させる指示をモニタ２８に表示させる処理が行われる。
【００５１】
本実施形態において、観察標本画像表示画面４２とウィザード画面３９はモニタ２８に表示されている。ウィザードを使用する際は、観察標本画像表示画面４２とウィザード画面３９を切り替えて表示する必要がある。
【００５２】
Ｓ３では、Ｓ２の処理後、ステージ１１を動かした結果、異物が移動したか否かを確認する旨のメッセージを表示させる。それから、観察者がその確認メッセージに対して回答を選択する。すると、コンピュータ２７は、次の処理を決定する。
【００５３】
例えば、図８のように、ウィザード画面３９内にメッセージボックス４５およびボタン４６，４７が設けられている。そして、異物付着位置特定のためのメッセージおよび異物が移動したか否かの確認メッセージを、メッセージボックス４５に表示させる。メッセージボックス４５に表示された確認メッセージに対し、観察者は、ボタン４６またはボタン４７をクリックすることにより、確認メッセージに対して回答する。すると、コンピュータ２７は、次の処理を開始する。
【００５４】
Ｓ４では、Ｓ３の処理において、観察者がモニタ２８に表示されている観察標本画像に見える異物が移動したと回答した場合、観察標本１２に異物が付着している可能性の警告および付着した異物を除去する方法をモニタ２８に表示させる処理が行われる。
【００５５】
Ｓ５では、Ｓ４の処理後、異物が除去されたか否かの確認メッセージをモニタ２８に表示させる。それから、観察者は、ボタン４６またはボタン４７をクリックすることにより、確認メッセージに対して回答する。すると、コンピュータ２７は、次の処理を決定する。
【００５６】
例えば、コンピュータ２７は、図９のように、メッセージボックス４５に異物付着の可能性のあるユニットの適切なクリーニング方法および異物が除去できたか否かの確認メッセージを表示させる。観察者は、ボタン４６またはボタン４７をクリックすることにより、確認メッセージに対して回答する。すると、コンピュータ２７は、次の処理を開始する。
【００５７】
Ｓ６では、コンピュータ２７は、撮像装置２５に異物が付着しているか否か確認のため、撮像装置２５を回転させる指示をモニタ２８に表示させる。撮像装置２５とカメラアダプタ２３の結合部は、雌ネジと雄ネジになっているので、撮像装置２５は光軸方向に垂直に回転できるようになっている。
【００５８】
Ｓ７では、Ｓ６の処理後、コンピュータ２７は、異物が移動したか否かの確認メッセージを表示させる。観察者は、ボタン４６またはボタン４７をクリックすることにより、確認メッセージに対して回答する。すると、コンピュータ２７は、次の処理を決定する。
【００５９】
例えば、図１０に示すように、コンピュータ２７は、撮像装置２５を光軸方向に垂直に回転させることで撮像装置２５に異物が付着しているか否かの確認する方法および異物の付着が確認できたか否かの確認メッセージを、メッセージボックス４５に表示させる。観察者が異物付着の有無を判別し、ボタン４６または４７をクリックする。すると、コンピュータ２７は、次の処理を実行する。
【００６０】
Ｓ８では、異物が回転しなかった場合、コンピュータ２７は、撮像装置２５に異物が付着している可能性の警告および撮像装置２５の適切なクリーニング方法をモニタ２８に表示させる。
【００６１】
Ｓ９では、Ｓ８の処理後、コンピュータ２７は、異物の除去がされたか否かの確認メッセージをモニタ２８に表示させる。観察者は、ボタン４６またはボタン４７をクリックすることにより、確認メッセージに対して回答する。すると、コンピュータ２７は、次の処理を決定する。
【００６２】
例えば、図１１に示すように、コンピュータ２７は、撮像装置２５をクリーニングする際は受光面をエアーで吹くように異物除去のための適切なクリーニング方法を、メッセージボックス４５に表示させる。また、コンピュータ２７は、クリーニング後、異物が除去できたか否かの確認メッセージを表示させる。観察者は異物除去を判断して、ボタン４６またはボタン４７をクリックすることにより確認メッセージに対して回答する。すると、コンピュータ２７は、次の処理を決定する。
【００６３】
Ｓ１０では、コンピュータ２７は、カメラアダプタレンズ２４に異物が付着しているか否か確認のため、カメラアダプタ２３と撮像装置２５を結合させた状態で回転させる指示をモニタ２８に表示させる。
【００６４】
図２に示したように、カメラアダプタレンズ２４は、カメラアダプタ２３内のレンズである。カメラアダプタ２３と鏡筒２０は、ネジで固定する。カメラアダプタ２３は、ネジを緩めることで光軸方向に垂直に回転させることができる。
【００６５】
Ｓ１１では、Ｓ１０の処理後、コンピュータ２７は、異物が移動したか否かの確認メッセージを表示させる。観察者は、ボタン４６またはボタン４７をクリックすることにより、確認メッセージに対して回答する。すると、コンピュータ２７は、次の処理を決定する。
【００６６】
例えば、コンピュータ２７は、図１２に示すように、撮像装置２５とカメラアダプタ２３を結合させた状態で光軸方向に垂直に回転させることで、カメラアダプタレンズ２４に異物が付着しているか否かの確認する方法および異物の付着が確認できたか否かの確認メッセージを、メッセージボックス４５に表示させる。観察者が異物付着の有無を判別し、ボタン４６または４７をクリックすることで、次の処理が実行される。
【００６７】
Ｓ１２では、コンピュータ２７は、カメラアダプタレンズ２４に異物が付着している可能性の警告およびカメラアダプタレンズ２４の適切なクリーニング方法をモニタ２８に表示させる。
【００６８】
Ｓ１３では、Ｓ１２の処理後、コンピュータ２７は、異物が除去されたか否かの確認メッセージをモニタ２８に表示させる。観察者は、ボタン４６またはボタン４７をクリックすることにより、確認メッセージに対して回答する。すると、コンピュータ２７は、次の処理を決定する。
【００６９】
例えば、コンピュータ２７は、図１３に示すように、メッセージボックス４５にカメラアダプタレンズ２４をクリーニングする際は、レンズクリーニング液を用いて、異物を拭き取る適切な方法を表示させる。また、コンピュータ２７は、クリーニング後、異物が除去できたか否かの確認メッセージを表示させる。観察者は異物除去を判断し、ボタン４６または４７をクリックすることで、次の処理が実行される。
【００７０】
Ｓ１４では、コンピュータ２７は、鏡筒２０に異物が付着しているか否かの確認のため、鏡筒２０、カメラアダプタ２３および撮像装置２５を結合させた状態で回転させる旨をモニタ２８に表示させる。鏡筒２０と顕微鏡1はネジで固定されているため、ネジを緩めることで光軸方向に垂直に回転させることができる。
【００７１】
Ｓ１５では、Ｓ１４の処理後、コンピュータ２７は、異物が移動したか否かの確認メッセージを表示させる。観察者は、ボタン４６またはボタン４７をクリックすることにより、確認メッセージに対して回答する。すると、コンピュータ２７は、次の処理を決定する。
【００７２】
例えば、コンピュータ２７は、図１４に示すように、撮像装置２５とカメラアダプタ２３と鏡筒２０を結合させた状態で、光軸方向に垂直に回転させることで、鏡筒２０に異物が付着しているか否かを確認する方法および異物の付着が確認できたか否かの確認メッセージを、メッセージボックス４５に表示させる。観察者は、異物付着の有無を判別し、ボタン４６または４７をクリックすることで、次の処理が実行される。
【００７３】
Ｓ１６では、コンピュータ２７は、鏡筒２０に異物が付着している可能性の警告および鏡筒２０の適切なクリーニング方法をモニタ２８に表示させる。
Ｓ１７では、Ｓ１６の処理後、コンピュータ２７は、異物の除去がされたか否かの確認メッセージをモニタ２８に表示させる。観察者は、ボタン４６またはボタン４７をクリックすることにより、確認メッセージに対して回答する。すると、コンピュータ２７は、次の処理を決定する。
【００７４】
例えば、コンピュータ２７は、図１５に示すように、メッセージボックス４５に鏡筒２０をクリーニングする際は、レンズクリーニング液を用いて、異物を拭き取る適切な方法を表示させる。また、コンピュータ２７は、クリーニング後、異物が除去できたか否かの確認メッセージを表示させる。観察者は、異物除去を判断し、ボタン４６または４７をクリックすることで、次の処理が実行される。
【００７５】
Ｓ１８では、コンピュータ２７は、コンデンサ光学素子ユニット９、コンデンサトップレンズユニット１０、および対物レンズ１３ａ，１３ｂに異物が付着しているか否かの確認のため、コンデンサ光学素子ユニット９とコンデンサトップレンズユニット１０を上下させる指示をモニタ２８に表示させる。
【００７６】
Ｓ１９では、コンピュータ２７は、Ｓ１８処理後、異物のピントが変わるか否かの確認メッセージを表示させる。観察者は、ボタン４６またはボタン４７をクリックすることにより、確認メッセージに対して回答する。すると、コンピュータ２７は、次の処理を決定する。
【００７７】
例えば、コンピュータ２７は、図１６に示すように、コンデンサ光学素子ユニット９とコンデンサトップレンズユニット１０を上下させ、異物のピントが変わるか否かを確認することで、コンデンサ光学素子ユニット９、コンデンサトップレンズユニット１０および対物レンズ１３ａ，１３ｂに異物が付着しているか否かの確認する方法および異物の付着が確認できたか否かの確認メッセージを、メッセージボックス４５に表示させる。観察者は、異物付着の有無を判別し、ボタン４６または４７をクリックすることで、次の処理が実行される。
【００７８】
Ｓ２０では、コンピュータ２７は、コンデンサ光学素子ユニット９に異物が付着している可能性の警告およびコンデンサ光学素子ユニット９の適切なクリーニング方法をモニタ２８に表示させる。
【００７９】
Ｓ２１では、コンピュータ２７は、Ｓ２０の処理後、異物の除去がされたか否かの確認メッセージをモニタ２８に表示させる。観察者は、ボタン４６またはボタン４７をクリックすることにより、確認メッセージに対して回答する。すると、コンピュータ２７は、次の処理を決定する。
【００８０】
例えば、コンピュータ２７は、図１７に示すように、メッセージボックス４５にコンデンサ光学素子ユニット９をクリーニングする際は、レンズクリーニンダ液を用いて、異物を拭き取る適切な方法を表示させる。
【００８１】
また、コンピュータ２７は、クリーニング後、異物が除去できたか否かの確認メッセージを表示させる。観察者は、異物除去を判断し、ボタン４６または４７をクリックすることで、次の処理が実行される。
【００８２】
Ｓ２２では、コンピュータ２７は、コンデンサトップレンズユニット１０に異物が付着している可能性の警告およびそれらユニットの適切なクリーニング方法をモニタ２８に表示させる。
【００８３】
Ｓ２３では、コンピュータ２７は、Ｓ２２の処理後、異物が除去できたか否かの確認メッセージを表示させる。観察者は、ボタン４６またはボタン４７をクリックすることにより、確認メッセージに対して回答する。すると、コンピュータ２７は、次の処理を決定する。
【００８４】
例えば、コンピュータ２７は、図１８に示すように、メッセージボックス４５にコンデンサトップレンズユニット１０をクリーニングする際は、レンズクリーニング液を用いて、異物を拭き取る適切な方法を表示させる。
【００８５】
また、コンピュータ２７は、クリーニング後、異物が除去できたか否かの確認メッセージを表示させる。観察者は、異物除去を判断し、ボタン４６または４７をクリックすることで、次の処理が実行される。
【００８６】
Ｓ２４では、コンピュータ２７は、対物レンズ１３ａおよび１３ｂに異物が付着している可能性を観察者に警告し、対物レンズの適切なクリーニング方法をモニタ２８に表示させる。
【００８７】
Ｓ２５では、コンピュータ２７は、Ｓ２４の処理後、異物が除去できたか否かの確認メッセージを表示させる。観察者は、ボタン４６またはボタン４７をクリックすることにより、確認メッセージに対して回答する。すると、コンピュータ２７は、次の処理を決定する。
【００８８】
例えば、コンピュータ２７は、図１９に示すように、メッセージボックス４５に対物レンズ１３ａ，１３ｂをクリーニングする際は、受光面をエアーで吹くように、異物を除去するための適切な方法を表示させる。また、コンピュータ２７は、クリーニング後、異物が除去できたか否かの確認メッセージを表示させる。
【００８９】
観察者は、異物除去ができていると判断した場合、ボタン４６をクリックする。すると、コンピュータ２７は、異物付着位置特定およびクリーニングのためのウィザードを終了する。観察者は、異物除去ができていないと判断した場合、ボタン４７をクリックする。すると、コンピュータは、次の処理を実行する。
【００９０】
Ｓ２６では、Ｓ２〜Ｓ２５までの処理を行っても異物が除去できない時は、観察者がクリーニングを行うことができないユニットに異物が付着している可能性がある。この場合、コンピュータ２７は、メーカーに問い合わせるように観察者へ警告を表示させる。
【００９１】
例えば、異物付着位置特定およびクリーニングができなかった場合は、透過用フィルタユニット５やビームスプリッタ２１など、観察者がクリーニングを行うことが出来ないユニットに異物が付着している可能性がある。この場合、コンピュータは、図２０に示すように、メーカーに問合せてメンテナンスを依頼するメッセージを、メッセージボックス４５に表示させる。
【００９２】
観察者はメッセージを確認し、ボタン４８をクリックすることで、異物付着位置特定およびクリーニングのためのウィザードは終了する。
（変形例）
図２１は、本実施形態（変形例）に係る顕微鏡撮影システムの全体構成を示す。上記の実施形態では、顕微鏡構成ユニットは、顕微鏡、照明系、鏡筒、コンデンサ、対物レンズ、撮像装置、カメラアダプタの構成になっている。しかし、図２１に示すように、オートフォーカス（ＡＦ）装置などのオプションユニットを用いた場合、観察者がＲＯＭ３７に顕微鏡撮影システム構成ユニットに使用しているオプションユニットを登録すると、ＲＯＭ３７から登録したオプションユニットの情報が読み出される。そのため、図６で示した異物付着位置特定およびクリーニングのためのウィザードのフローチャートが変化し、図２２に示すようなフローチャートとなる。
【００９３】
図２２は、本実施形態（変形例）におけるウィザード画面によるユニットの異物付着位置特定方法およびクリーニング方法のガイドフローを示す。同図では、図６で示したフローチャートのＳ１〜Ｓ２６までは同等であるため、同じ参照符号を付して、その説明は省略する。
【００９４】
Ｓ３０では、コンピュータ２７は、ＡＦ装置５８に異物が付着しているか否か確認のため、ＡＦ装置５８を取り外した状態で観察標本画像を確認し、異物が見えるか否か確認するようモニタ２８に表示させる。ＡＦ装置５８は、鏡筒２０とネジで固定され、顕微鏡装置１ともネジで固定されているため、ネジを緩めることで簡単に取り外すことができる。
【００９５】
Ｓ３１では、コンピュータ２７は、Ｓ３０の処理後、異物が確認できるか否かの確認メッセージを表示させる。観察者は、ボタン４６またはボタン４７をクリックすることにより、確認メッセージに対して回答する。すると、コンピュータ２７は、次の処理を決定する。
【００９６】
例えば、コンピュータ２７は、図２３に示すように、メッセージボックス４５にＡＦ装置５８に異物が付着しているか否かの確認方法および異物の付着が確認できたか否かの確認メッセージを表示させる。観察者は、異物付着を判別し、ボタン４６または４７をクリックすることで、次の処理が実行される。
【００９７】
Ｓ３２では、コンピュータ２７は、ＡＦ装置５８に異物が付着している可能性の警告およびＡＦ装置５８の適切なクリーニング方法をモニタ２８に表示させる。
Ｓ３３では、コンピュータ２７は、Ｓ３２の処理後、異物の除去がされたか否かの確認メッセージをモニタ２８に表示させる。観察者は、ボタン４６またはボタン４７をクリックすることにより、確認メッセージに対して回答する。すると、コンピュータ２７は、次の処理を決定する。
【００９８】
例えば、コンピュータ２７は、図２４に示すように、メッセージボックス４５にＡＦ装置５８をクリーニングする際は、レンズクリーニング液を用いて、異物を拭き取る適切な方法を表示させる。また、コンピュータ２７は、クリーニング後、異物が除去できたか否かの確認メッセージを表示させる。観察者は、異物除去の有無を判断しボタン４６または４７をクリックすることで、次の処理が実行される。
【００９９】
また、観察者は顕微鏡撮影システムの基本構成を登録すると、コンピュータ２７により異物付着位置特定およびクリーニングのためのウィザード画面３９に表示される内容が変更される。
【０１００】
図２５は、図６のフローチャートにおいて異物付着位置特定およびクリーニングのためのウィザードの内容の変更に関するフローを示す。Ｓ３４〜Ｓ３７は、図６におけるＳ１０での処理を表し、Ｓ３９〜Ｓ４１は図６におけるＳ１２の処理を表す。
【０１０１】
Ｓ３４では、コンピュータ２７は、図７の顕微鏡撮影システム構成ユニット表４０に登録された内容に応じて、Ｓ３５〜Ｓ３７のいずれかの処理を決定する。Ｓ３５〜Ｓ３７では、コンピュータ２７は、観察者が使用しているカメラアダプタに合った異物付着位置特定の方法の指示を表示させる。
【０１０２】
例えば、観察者は、図７で示す顕微鏡撮影システム構成ユニット表４０内のカメラアダプタにＣマウントアダプタ×１を登録し、ボタン４１をクリックする。すると、Ｓ２の処理が開始する。観察者がカメラアダプタにＣマウントアダプタ×１を選択したことにより、コンピュータ２７は、Ｓ１０での処理において、Ｓ３７の処理を選択する。
【０１０３】
例えば、Ｃマウントアダプタ×１では、Ｃマウントレンズがないため、図５で示した観察標本画像表示画面４２で確認できる異物がＣマウントアダプタ×１に付着していることはない。そのため、図２６で示すように、コンピュータ２７は、メッセージボックス４５にＣマウントアダプタに異物が付着していないことを観察者に知らせるメッセージを表示させる。
【０１０４】
観察者がメッセージボックス４５に表示されたメッセージを確認し、ボタン５９をクリックする。すると、コンピュータは次の処理を開始する。
Ｓ３９では、コンピュータ２７は、Ｓ３４と同様に、顕微鏡撮影システム構成ユニット表４０に登録された内容に応じて、Ｓ４０〜Ｓ４１のいずれかの処理を決定する。Ｓ４０〜Ｓ４１では、コンピュータ２７は、観察者が使用しているカメラアダプタに最適なクリーニング方法をウィザード画面内のメッセージボックス４５に表示する処理を行う。
【０１０５】
例えば、図７に示す顕微鏡撮影システム構成ユニット表４０内のカメラアダプタに、Ｃマウントレンズ×０．５もしくは０．６５を選択する。すると、コンピュータ２７は、図１３で示したようにＣマウントレンズ×０．５もしくはＣマウントレンズ×０．６３のクリーニング方法およびクリーニング後に異物が除去できたか否かの確認メッセージをメッセージボックス４５に表示させる。
【０１０６】
前述したように、観察者が使用している顕微鏡撮影ユニットの構成ユニットを登録することで、コンピュータ２７は、メッセージボックス４５内に観察者が使用している顕微鏡撮影システムの構成ユニットに最適な異物付着位置特定方法およびクリーニング方法をモニタ２８に表示させる。
【０１０７】
第１の実施形態によれば、観察者は、異物付着位置特定およびクリーニングのためのウィザードを用いることで、撮像装置より取得した画像を用いて、簡単に異物付着位置の特定を行い、最適なクリーニングを実施することができる。
【０１０８】
また、顕微鏡撮影システムの構成ユニットを登録することで、異物付着位置特定およびクリーニングのウィザードが観察者の使用する顕微鏡撮影システムに合った内容になる。よって、異物の付着の可能性のないユニットの分解およびクリーニングを実施することがなくなる。また、異物が付着しているか否か確認が必要なユニットの確認を忘れることがなくなる。また、メンテナンス時間を短縮することができる。
【０１０９】
更に、本実施形態による異物付着位置特定およびクリーニングを行うことで、異物付着位置特定およびクリーニングに不慣れな観察者であっても、簡単に顕微鏡撮影システムのクリーニングを実施することができる。その結果、顕微鏡撮影システムを常に観察および撮影に最適な状態にすることができる。
【０１１０】
＜第２の実施形態＞
第２の実施形態は、信号処理回路２６において画像処理を行うことで、異物のみを強調した異物強調画像を生成するものである。異物付着位置特定および異物除去確認の判定を行い易くするものである。本実施形態は、第１の実施形態における顕微鏡撮影システム構成ユニットと同等であり、同じ参照符号を付して、その説明は省略する。
【０１１１】
図２７は、本実施形態におけるウィザード画面によるユニットの異物付着位置特定方法およびクリーニング方法のガイドフローを示す。当該フローチャートは、顕微鏡撮影システムの動作について説明しているが、Ｓ２７以外は図６に示したフローチャートと同等であり、同じ参照符号を付して、その説明は省略する。
【０１１２】
本実施形態では、信号処理回路２６の画像処理部３３において、異物強調のためのフィルタ処理を行う。これにより、撮像装置２５が取得した観察標本の元画像から異物のみを強調した画像を生成する。
【０１１３】
図２７において、Ｓ２７では、コンピュータ２７は、観察者に異物強調された画像を生成された前後の観察標本画像を認識しやすくするため、観察者に異物強調画像の生成を行うことをモニタ２８に表示させる。観察者がＳ２へ処理を進めると、画像処理部３３は異物強調画像の生成を行う。
【０１１４】
例えば、コンピュータは、図２８のように、メッセージボックス４５およびボタン４９を表示させ、異物強調処理を行うことをメッセージボックス４５に表示させる。観察者が、表示されたメッセージを確認後、ボタン４９をクリックする。これにより、コンピュータ２７は、異物強調処理を開始するよう画像処理部３３へ指示する。
【０１１５】
図２９は、Ｓ２７における画像処理部で行われる異物強調処理のフローチャートを示す。Ｓ２８では、画像処理部３３は、撮像装置２５により撮像された画像を、Ｉ／Ｆ部３２を介して取得する。画像処理部３３は、その画像データに対して、メディアンフィルタ処理を施す。
【０１１６】
メディアンフィルタ処理は、図３０に示すように、３×３のメディアンフィルタの場合、ある座標（Ｇ５）とその周辺の８近傍（Ｇ１〜Ｇ４、Ｇ６〜Ｇ９）の画素の濃度値を小さい順に並べ、その中央値をＧ５の濃度値に設定する処理である。
【０１１７】
Ｓ２９では、画像処理部３３は、元画像の画像データからメディアンフィルタを施した画像の画像データを引くことで、異物のみを強調した画像を生成する。生成した画像はコンピュータ２７へ送られ、モニタ２８に表示される。
【０１１８】
例えば、図３１において、画像処理部３３は、元画像５０の画像データからメディアンフィルタ処理を施した画像５１の画像データを引き、各画素の絶対値を濃度値に設定する。これにより、異物のみが強調された画像５２を生成することができる。
【０１１９】
本実施形態によれば、観察者は、異物強調処理を用いることによって、異物のみが強調された観察標本画像を表示できるため、異物の移動および異物の付着を確認しやすくなる。そのため、異物付着位置特定および異物除去確認の判定を簡単に行うことができるようになる。
【０１２０】
＜第３の実施形態＞
第３の実施形態は、図３３に示すように、モニタ２８に表示したウィザード画面５３に撮像装置２５が取得した観察標本の画像を表示するウィンドウ５４を設置する。これにより、観察者は異物付着位置特定のためのメッセージおよび異物除去確認メッセージと観察標本の画像を一緒に見ることができるようになる。
【０１２１】
本実施形態では、ウィザード画面５３内に観察標本画像を表示するため、モニタ２８にはウィザードの他に観察標本画像だけを表示するウィンドウは表示しない。本実施形態の顕微鏡撮影システム構成ユニットは、前述した第２の実施形態の顕微鏡撮影システム構成ユニットと同等であり、同じ参照符号を用いて詳細な説明は省略する。また、顕微鏡撮影システムの動作についても、前述した第２の実施形態と同等であるため、同じ参照符号を用いて詳細な説明は省略する。
【０１２２】
本実施形態は、第２の実施形態と比べて、ＲＯＭ３７に格納される異物付着位置特定およびクリーニングのためのウィザードの内容およびＲＯＭ３７に収められたデータの転送方法が異なっている。
【０１２３】
第３実施形態において、ＲＯＭ３７に格納された観察者の使用する顕微鏡撮影システムの構成ユニットのデータと、異物付着位置特定およびクリーニングのためのウィザードのプログラムは、撮像装置２５で取得され信号処理回路２６にて画像処理された画像データとともに、コントローラ３４およびＩ／Ｆ部３５を介してコンピュータ２７へ転送される。
【０１２４】
本実施形態は、異物付着位置特定およびクリーニングのためのウィザードにおいて、ウィザード画面５３に、観察者の画像５４と異物付着位置特定及びクリーニングのためのメッセージを一緒に表示するようにするものである。
【０１２５】
図３２、図３３、及び図３４は、図２７に示したＳ２７，Ｓ２，Ｓ３の本実施形態における異物付着位置特定及びクリーニングのためのウィザード画面５３を示している。
図３２では、ウィザード画面５３に観察標本画像を表示するウィンドウ５４と、異物強調画像を生成するメッセージと、を一緒に表示させる。また、観察者が異物強調画像を生成するメッセージに対し、次の処理を開始するためのボタン５５をウィザード画面５３内に表示する。
【０１２６】
図３３では、ウィンドウ５４に異物強調された画像と、ウィザード画面５３内に構成ユニットの異物付着位置特定方法及び異物が移動したか否かの確認メッセージと、確認メッセージに対する観察者の回答ボタン５６，５７と、を表示させる。
【０１２７】
図３４では、ウィンドウ５４に異物強調された画像と、ウィザード画面５３内に構成ユニットのクリーニング方法及び異物が除去できたか否かの確認メッセージと、確認メッセージに対する観察者の回答ボタン５６，５７と、を表示させる。
【０１２８】
本実施形態のウィザード画面は、第２の実施形態の図２７のフローチャートで示したＳ２〜Ｓ２７において、異物付着位置特定及びクリーニングのウィザード画面を、図３２、図３３および図３４で示したウィザード画面５３を用いる。
【０１２９】
本実施形態によれば、観察者は画像表示画面とウィザード画面の両方を見る必要がなくなり、異物付着位置特定およびクリーニングの効率が上がるため観察者の負担が軽減される。
【０１３０】
本発明は、上記各実施形態に限定されるものではなく、本発明の要旨を逸脱しない範囲であれば随時変形して実施することは当然である。前述の実施形態では、使用する顕微鏡として正立顕微鏡を挙げたが、倒立顕微鏡であっても同様に実施できる。
【０１３１】
本発明によれば、観察者の経験によらず顕微鏡撮影システムに付着した異物の付着位置特定およびクリーニングを簡単に行うことができる。よって、顕微鏡撮影システムを常に観察に最適な状態に保つことができる。また、異物付着位置特定およびクリーニング時の異物が付着していないユニットの分解およびクリーニング作業を防止できる。そのため、更なる異物の付着や構成ユニットの破損の防止にもつながる。
【図面の簡単な説明】
【０１３２】
【図１】本発明の実施形態における異物確認除去誘導システム１００を示す。
【図２】第１の実施形態における顕微鏡撮影システムの概略構成を示す。
【図３】第１の実施形態における光学系の構成図を示す。
【図４】第１の実施形態における撮影システムの概略構成を示す。
【図５】第１の実施形態における観察標本画像表示画面である。
【図６】第１の実施形態の処理手順を説明するためのフローチャートである。
【図７】第１の実施形態で実行されるプログラムの表示画面である。
【図８】第１の実施形態で実行されるプログラムの表示画面である。
【図９】第１の実施形態で実行されるプログラムの表示画面である。
【図１０】第１の実施形態で実行されるプログラムの表示画面である。
【図１１】第１の実施形態で実行されるプログラムの表示画面である。
【図１２】第１の実施形態で実行されるプログラムの表示画面である。
【図１３】第１の実施形態で実行されるプログラムの表示画面である。
【図１４】第１の実施形態で実行されるプログラムの表示画面である。
【図１５】第１の実施形態で実行されるプログラムの表示画面である。
【図１６】第１の実施形態で実行されるプログラムの表示画面である。
【図１７】第１の実施形態で実行されるプログラムの表示画面である。
【図１８】第１の実施形態で実行されるプログラムの表示画面である。
【図１９】第１の実施形態で実行されるプログラムの表示画面である。
【図２０】第１の実施形態で実行されるプログラムの表示画面である。
【図２１】第１の実施形態（変形例）における顕微鏡撮影システムの概略構成を示す。
【図２２】第１の実施形態（変形例）の処理手順を説明するためのフローチャートである。
【図２３】第１の実施形態（変形例）で実行されるプログラムの表示画面である。
【図２４】第１の実施形態（変形例）で実行されるプログラムの表示画面である。
【図２５】第１の実施形態（変形例）の処理手順を説明するためのフローチャートである。
【図２６】第１の実施形態（変形例）で実行されるプログラムの表示画面である。
【図２７】第２の実施形態の処理手順を説明するためのフローチャートである。
【図２８】第２の実施形態で実行されるプログラムの表示画面である。
【図２９】第２の実施形態の画像処理の処理手順を説明するためのフローチャートである。
【図３０】第２の巽施形態で実行されるフィルタ処理を説明するための図である。
【図３１】第２の巽施形態で実行されるフィルタ処理を施した画像の変化を示す図である。
【図３２】第３の実施形態で実行されるプログラムの表示画面である。
【図３３】第３の実施形態で実行されるプログラムの表示画面である。
【図３４】第３の実施形態で実行されるプログラムの表示画面である。
【符号の説明】
【０１３３】
１      顕微鏡装置
２      透過照明用光源
３      落射照明用光源
４      コレクタレンズ
５      透過用フィルタユニット
６      透過視野絞り
７      窓レンズ
８      透過開口絞り
９      コンデンサ光学素子ユニット
１０    コンデンサトップレンズユニット
１１    ステージ
１２    観察標本
１３ａ，１３ｂ  対物レンズ
１４    レボルバ
１５    コレクタレンズ
１６    落射用フィルタユニット
１７    落射視野絞り
１８    落射開口絞り
１９    ダイクロイックミラー
２０    鏡筒
２１    ビームスプリッタ
２２    接眼レンズ
２３    カメラアダプタ
２４    カメラアダプタレンズ
２５    撮像装置
２６    信号処理回路
２７    コンピュータ
２８    モニタ
２９    入力装置
３０    Ｉ／Ｆケーブル
３１    モニタケーブル
３２，３５    Ｉ／Ｆ部
３３    画像処理部
３４    コントローラ
３６    ＣＰＵ
３７    ＲＯＭ
３８    制御バス
５８    ＡＦ装置
【図１】
2010019885.tif 000003
【図２】
2010019885.tif 000004
【図３】
2010019885.tif 000005
【図４】
2010019885.tif 000006
【図６】
2010019885.tif 000007
【図７】
2010019885.tif 000008
【図８】
2010019885.tif 000009
【図９】
2010019885.tif 000010
【図１０】
2010019885.tif 000011
【図１１】
2010019885.tif 000012
【図１２】
2010019885.tif 000013
【図１３】
2010019885.tif 000014
【図１４】
2010019885.tif 000015
【図１５】
2010019885.tif 000016
【図１６】
2010019885.tif 000017
【図１７】
2010019885.tif 000018
【図１８】
2010019885.tif 000019
【図１９】
2010019885.tif 000020
【図２０】
2010019885.tif 000021
【図２１】
2010019885.tif 000022
【図２２】
2010019885.tif 000023
【図２３】
2010019885.tif 000024
【図２４】
2010019885.tif 000025
【図２５】
2010019885.tif 000026
【図２６】
2010019885.tif 000027
【図２７】
2010019885.tif 000028
【図２８】
2010019885.tif 000029
【図２９】
2010019885.tif 000030
【図３０】
2010019885.tif 000031
【図５】
2010019885.tif 000032
【図３１】
2010019885.tif 000033
【図３２】
2010019885.tif 000034
【図３３】
2010019885.tif 000035
【図３４】
2010019885.tif 000036